(57)【要約】【課題】  仕込み図の作成と仕込み作業とが一括して行われる調光操作卓を提供する。【解決手段】  表示部１４は、データ入力部１５に入力された配置データに基いて制御コンセントの配置を示す地図を表示する。制御部１２は、操作部１１への操作入力に応じて、照明負荷のマークを上記の地図上に配置するとともに、配置された照明負荷のマークと制御コンセントとの位置関係に応じて該照明負荷のマークに回路番号を対応付ける。また、制御部１２は、操作部１１への操作入力に応じて、照明負荷のマークに対応付けられた回路番号を、操作部１１が有する操作手段に対して対応付ける。照明負荷のマークが地図上に配置された仕込み図の作成と、操作部１１の操作手段を回路番号に対応付ける仕込み作業とが一括して行われる。【選択図】図１
2010073629.tif 000002
【特許請求の範囲】
【請求項１】
それぞれ少なくとも１個ずつの回路番号が割り当てられ回路番号毎に１乃至複数個ずつ接続された照明負荷を回路番号毎に制御する１乃至複数個の調光器と、各調光器に対して照明負荷の制御を指示する制御信号を出力する調光操作卓とを備える照明制御システムに用いられる調光操作卓であって、
操作入力を受け付ける操作手段を複数個備える操作部と、
各調光器に対して制御信号を送信する通信部と、
操作部に受け付けられた操作入力に応じて制御信号を生成するとともに生成した制御信号を各調光器へそれぞれ送信するように通信部を制御する制御部と、
照明負荷が接続される制御コンセントの位置と該制御コンセントに接続された照明負荷に割り当てられる回路番号とが各調光器についてそれぞれ示された配置データが入力されるデータ入力部と、
データ入力部に入力された配置データに基いて、制御コンセントを示すマークが制御コンセントの位置に描かれた地図を表示する地図表示部とを備え、
制御部は、データ入力部に配置データが入力されて地図表示部に地図が表示されている状態では、照明負荷のマークの形状と前記地図上において該照明負荷のマークを配置すべき位置とをそれぞれ操作部への操作入力によって指定され、指定された形状の照明負荷のマークを前記地図上において指定された位置に描くように地図表示部を制御するとともに、該照明負荷のマークと制御コンセントのマークとの位置関係に応じて該照明負荷のマークに回路番号を対応付ける照明負荷配置動作と、操作部の操作手段と照明負荷のマークとをそれぞれ操作部への操作入力によって指定され、指定された照明負荷のマークに対応付けられた回路番号を、指定された操作手段に対して対応付ける操作手段割当動作とを行うことを特徴とする調光操作卓。
【請求項２】
各制御コンセントのマークには、それぞれ、前記地図上における割当領域が予め設定されていて、
照明負荷配置動作においては、照明負荷のマークがいずれかの制御コンセントのマークに対して設定された割当領域内に配置された場合に、該照明負荷のマークに対し、該制御コンセントのマークに対応する回路番号を対応付けることを特徴とする請求項１記載の調光操作卓。
【請求項３】
地図表示部は、回路番号が対応付けられた各照明負荷のマークの近傍に、それぞれ対応付けられた回路番号を表示することを特徴とする請求項１又は請求項２記載の調光操作卓。
【請求項４】
操作部が有する各操作手段にはそれぞれ操作番号が付されていて、
制御部は、操作部への操作入力に応じて、各照明負荷のマークをグループ分けし、
操作手段割当動作において、既にグループ分けされた照明負荷のマークが指定された場合、指定された照明負荷のマークが属するグループに属する照明負荷のマークに対応付けられた各回路番号を、該グループに属する照明負荷のマークに対応付けられた回路番号の個数と同数の操作手段であって連続する操作番号が付された操作手段に対し、１対１に対応付けることを特徴とする請求項１〜３のいずれか１項に記載の調光操作卓。
【請求項５】
地図表示部は、いずれかのグループに属する各照明負荷のマークの近傍にそれぞれ属するグループを示す表示を付すことを特徴とする請求項４記載の調光操作卓。
【請求項６】
制御部は、回路番号が対応付けられた照明負荷のマークと、制御の内容とが、それぞれ操作部への操作入力によって指定されたとき、指定された照明負荷のマークに対応付けられた回路番号の照明負荷に対して指定された内容の制御を行わせるように制御信号を生成するとともに、通信部を制御して該制御信号を各調光器へそれぞれ送信させることを特徴とする請求項１〜５のいずれか１項に記載の調光操作卓。
【請求項７】
制御部は、各照明負荷のマークが、それぞれ、対応する回路番号に対して直前に送信された制御信号に示された制御の内容に応じた色または明度で表示されるように、地図表示部を制御することを特徴とする請求項１〜６のいずれか１項に記載の調光操作卓。
【発明の詳細な説明】
【技術分野】
【０００１】
本発明は、調光操作卓に関するものである。
【背景技術】
【０００２】
従来から、それぞれ１乃至複数個の照明負荷を制御する１乃至複数個の調光器と、各調光器に対して照明負荷の制御を指示する制御信号を出力する調光操作卓とを備える照明制御システムに用いられる調光操作卓が提供されている（例えば、特許文献１参照）。
【０００３】
この種の調光操作卓として、図５に示すように、複数個の照明負荷Ｌに接続され各照明負荷Ｌを制御する調光器２に接続される調光操作卓１が、舞台やスタジオの照明に用いられている。図５において、各照明負荷Ｌは、天井から吊下げ支持されて上げ下げ可能なバトンＢＴに取り付けられている。
【０００４】
調光操作卓１と調光器２とは伝送路ＳＬを介して互いに接続されている。調光操作卓１は、図６に示すように、それぞれ使用者によって操作されるスイッチやフェーダ等の操作手段を複数個備える操作部１１と、操作部１１に加えられた操作に応じた制御信号を生成する制御部１２と、制御部１２によって制御され制御部１２で生成された制御信号を伝送路ＳＬを介して調光器２に送信する通信部１３とを有し、調光器２は伝送路ＳＬを介して調光操作卓１から受信された制御信号に応じて各照明負荷Ｌをそれぞれ制御する。調光器２が制御信号に応じて各照明負荷Ｌに対して行なう制御は、具体的には、点灯・消灯の切換（オンオフ制御）と、光出力の変更（調光制御）とである。
【０００５】
ここで、調光器２はそれぞれ照明負荷が接続される複数個の制御コンセント（図示せず）を有する。各制御コンセントにはそれぞれ予め回路番号が割り当てられており、照明負荷Ｌを制御コンセントに接続することによって該制御コンセントの回路番号が該照明負荷Ｌに割り当てられることになる。そして、制御部１２が生成する制御信号には回路番号と制御の内容とが含まれており、調光器２は、回路番号毎に照明負荷Ｌを制御する。回路番号は制御コンセント毎すなわち照明負荷Ｌ毎に互いに異なるように割り当てられることが多いが、複数個の照明負荷Ｌに共通の回路番号が割り当てられた場合、それら複数個の照明負荷Ｌは常に一括して制御されることになる。
【０００６】
また、調光操作卓１は、各照明負荷Ｌを回路番号毎に個別に制御する個別制御の他、予め選択された複数個の回路番号（いわゆるパッチ）に対して共通の制御を行うグループ制御や、予め選択された複数個の回路番号に対して指示する光出力を予め回路番号毎に設定された一定値とすることで特定の照明シーンを実現するパターン制御などが可能となっている。すなわち、１個の操作手段に対して複数個の回路番号が対応付けられている場合、該操作手段の操作により、該複数個の回路番号に対してグループ制御が行われる。また、操作部１１は、予め設定されたパターン制御の開始を指示する例えば押釦スイッチのような操作手段（以下、「パターントリガ」と呼ぶ。）を有する。すなわち、パターントリガが操作されると、制御部１２は該パターントリガに対応するパターン制御において回路番号毎に設定された制御を指示する制御信号を生成するとともに、通信部１３を制御して該制御信号を調光器２へ送信させる。ここで、制御部１２は不揮発性のメモリを有し、操作手段と回路番号との対応関係や、パターントリガ毎のパターン制御の内容など、各種の設定内容は、制御部１２のメモリに格納される。上記のような調光操作卓１の各構成は周知技術で実現可能であるので、詳細な図示並びに説明は省略する。
【０００７】
さらに、調光操作卓１は、制御部１２によって制御されて各種の表示を行う表示部１４を有する。表示部１４としては、操作部１１の操作手段に並設される発光ダイオードや周知のデジタル表示装置のほか、図５に示したような周知のディスプレイ装置１４ａを用いることができる。
【０００８】
なお、上記の例では調光器２が１個のみ示されているが、調光器２を複数台用いてもよい。
【特許文献１】特開２００８−４４７０号公報
【発明の開示】
【発明が解決しようとする課題】
【０００９】
上記の調光操作卓１が実際に使用されるコンサート等のイベントの前には、照明負荷Ｌが配置される室内等の空間の地図（見取り図）に各照明負荷Ｌの位置及び向きを記入した、例えば図７に示すような仕込み図が作成される。仕込み図において、各照明負荷Ｌを示すマークの近傍には、そのマークが示す照明負荷Ｌに装着されたカラーフィルタの色や、そのマークが示す照明負荷Ｌが対応付けられる回路番号（すなわち、照明負荷Ｌが接続される制御コンセントの回路番号）等が記入される。さらに、仕込み図の作成とともに、各種の設定を行う仕込み作業も行われる。仕込み作業には、具体的には例えば、操作部１１が有するフェーダ等の操作手段と回路番号との対応付けや、操作部１１のパターントリガに対応するパターン制御の内容の設定などが含まれる。例えば、既に仕込み作業が完了した状態において、操作部１１が有する操作手段としてのフェーダが操作されると、予め仕込み作業において該フェーダに対応付けられた各回路番号に対して光出力を上記操作後のフェーダの摘みの位置に応じた光出力とすることを指示する制御信号が、制御部１２によって生成され、通信部１３から調光器２へ送信される。
【００１０】
従来は、仕込み図を製図用の装置などで作成した後、その仕込み図を参照しながら調光操作卓１に対して仕込み作業を行うといったように、仕込み図の作成と仕込み作業とを別途の装置を用いて行う必要があった。
【００１１】
本発明は、上記事由に鑑みて為されたものであり、その目的は、仕込み図の作成と仕込み作業とが一括して行われる調光操作卓を提供することにある。
【課題を解決するための手段】
【００１２】
請求項１の発明は、それぞれ少なくとも１個ずつの回路番号が割り当てられ回路番号毎に１乃至複数個ずつ接続された照明負荷を回路番号毎に制御する１乃至複数個の調光器と、各調光器に対して照明負荷の制御を指示する制御信号を出力する調光操作卓とを備える照明制御システムに用いられる調光操作卓であって、操作入力を受け付ける操作手段を複数個備える操作部と、各調光器に対して制御信号を送信する通信部と、操作部に受け付けられた操作入力に応じて制御信号を生成するとともに生成した制御信号を各調光器へそれぞれ送信するように通信部を制御する制御部と、照明負荷が接続される制御コンセントの位置と該制御コンセントに接続された照明負荷に割り当てられる回路番号とが各調光器についてそれぞれ示された配置データが入力されるデータ入力部と、データ入力部に入力された配置データに基いて、制御コンセントを示すマークが制御コンセントの位置に描かれた地図を表示する地図表示部とを備え、制御部は、データ入力部に配置データが入力されて地図表示部に地図が表示されている状態では、照明負荷のマークの形状と前記地図上において該照明負荷のマークを配置すべき位置とをそれぞれ操作部への操作入力によって指定され、指定された形状の照明負荷のマークを前記地図上において指定された位置に描くように地図表示部を制御するとともに、該照明負荷のマークと制御コンセントのマークとの位置関係に応じて該照明負荷のマークに回路番号を対応付ける照明負荷配置動作と、操作部の操作手段と照明負荷のマークとをそれぞれ操作部への操作入力によって指定され、指定された照明負荷のマークに対応付けられた回路番号を、指定された操作手段に対して対応付ける操作手段割当動作とを行うことを特徴とする。
【００１３】
この発明によれば、照明負荷配置動作により、地図上の照明負荷のマークの位置によって照明負荷の配置が表現されるとともに照明負荷のマークの形状によって照明負荷の種別及び向きが表現された仕込み図の作成を行うことができるとともに、操作手段割当動作により、回路番号を操作手段に対応付ける仕込み作業を行うことができる。また、操作手段に対応付ける回路番号の指定は、地図上に配置された照明負荷のマークを指定することによって直感的に行うことができる。
【００１４】
請求項２の発明は、請求項１の発明において、各制御コンセントのマークには、それぞれ、前記地図上における割当領域が予め設定されていて、照明負荷配置動作においては、照明負荷のマークがいずれかの制御コンセントのマークに対して設定された割当領域内に配置された場合に、該照明負荷のマークに対し、該制御コンセントのマークに対応する回路番号を対応付けることを特徴とする。
【００１５】
この発明によれば、照明負荷のマークを割当領域内に配置するだけで、照明負荷のマークに対して容易に回路番号を対応付けることができる。
【００１６】
請求項３の発明は、請求項１又は請求項２の発明において、地図表示部は、回路番号が対応付けられた各照明負荷のマークの近傍に、それぞれ対応付けられた回路番号を表示することを特徴とする。
【００１７】
請求項４の発明は、請求項１〜３のいずれかの発明において、操作部が有する各操作手段にはそれぞれ操作番号が付されていて、制御部は、操作部への操作入力に応じて、各照明負荷のマークをグループ分けし、操作手段割当動作において、既にグループ分けされた照明負荷のマークが指定された場合、指定された照明負荷のマークが属するグループに属する照明負荷のマークに対応付けられた各回路番号を、該グループに属する照明負荷のマークに対応付けられた回路番号の総数と同数の操作手段であって連続する操作番号が付された操作手段に対し、１対１に対応付けることを特徴とする。
【００１８】
この発明によれば、複数個の回路番号を一括して操作手段に対応付けることができる。
【００１９】
請求項５の発明は、請求項４の発明において、地図表示部は、いずれかのグループに属する各照明負荷のマークの近傍にそれぞれ属するグループを示す表示を付すことを特徴とする。
【００２０】
請求項６の発明は、請求項１〜５のいずれかの発明において、制御部は、回路番号が対応付けられた照明負荷のマークと、制御の内容とが、それぞれ操作部への操作入力によって指定されたとき、指定された照明負荷のマークに対応付けられた回路番号の照明負荷に対して指定された内容の制御を行わせるように制御信号を生成するとともに、通信部を制御して該制御信号を各調光器へそれぞれ送信させることを特徴とする。
【００２１】
この発明によれば、地図上の照明負荷のマークを指定することで、照明負荷の操作を直感的に行うことができる。
【００２２】
請求項７の発明は、請求項１〜６のいずれかの発明において、制御部は、各照明負荷のマークが、それぞれ、対応する回路番号に対して直前に送信された制御信号に示された制御の内容に応じた色または明度で表示されるように、地図表示部を制御することを特徴とする。
【００２３】
この発明によれば、各照明負荷のマークの色や明度を確認することで、各照明負荷の動作状態を容易に把握することができる。
【発明の効果】
【００２４】
請求項１の発明によれば、制御部は、データ入力部に配置データが入力されて地図表示部に地図が表示されている状態では、照明負荷のマークの形状と前記地図上において該照明負荷のマークを配置すべき位置とをそれぞれ操作部への操作入力によって指定され、指定された形状の照明負荷のマークを前記地図上において指定された位置に描くように地図表示部を制御するとともに、該照明負荷のマークと制御コンセントのマークとの位置関係に応じて該照明負荷のマークに回路番号を対応付ける照明負荷配置動作と、操作部の操作手段と照明負荷のマークとをそれぞれ操作部への操作入力によって指定され、指定された照明負荷のマークに対応付けられた回路番号を、指定された操作手段に対して対応付ける操作手段割当動作とを行うので、照明負荷配置動作により、地図上の照明負荷のマークの位置によって照明負荷の配置が表現されるとともに照明負荷のマークの形状によって照明負荷の種別及び向きが表現された仕込み図の作成を行うことができるとともに、操作手段割当動作により、回路番号を操作手段に対応付ける仕込み作業を行うことができる。また、操作手段に対応付ける回路番号の指定は、地図上に配置された照明負荷のマークを指定することによって直感的に行うことができる。
【００２５】
請求項２の発明によれば、各制御コンセントのマークには、それぞれ、前記地図上における割当領域が予め設定されていて、照明負荷配置動作においては、照明負荷のマークがいずれかの制御コンセントのマークに対して設定された割当領域内に配置された場合に、該照明負荷のマークに対し、該制御コンセントのマークに対応する回路番号を対応付けるので、照明負荷のマークを割当領域内に配置するだけで、照明負荷のマークに対して容易に回路番号を対応付けることができる。
【００２６】
請求項４の発明によれば、操作部が有する各操作手段にはそれぞれ操作番号が付されていて、制御部は、操作部への操作入力に応じて、各照明負荷のマークをグループ分けし、操作手段割当動作において、既にグループ分けされた照明負荷のマークが指定された場合、指定された照明負荷のマークが属するグループに属する照明負荷のマークに対応付けられた各回路番号を、該グループに属する照明負荷のマークに対応付けられた回路番号の総数と同数の操作手段であって連続する操作番号が付された操作手段に対し、１対１に対応付けるので、複数個の回路番号を一括して操作手段に対応付けることができる。
【００２７】
請求項６の発明によれば、制御部は、回路番号が対応付けられた照明負荷のマークと、制御の内容とが、それぞれ操作部への操作入力によって指定されたとき、指定された照明負荷のマークに対応付けられた回路番号の照明負荷に対して指定された内容の制御を行わせるように制御信号を生成するとともに、通信部を制御して該制御信号を各調光器へそれぞれ送信させるので、地図上の照明負荷のマークを指定することで、照明負荷の操作を直感的に行うことができる。
【００２８】
請求項７の発明によれば、制御部は、各照明負荷のマークが、それぞれ、対応する回路番号に対して直前に送信された制御信号に示された制御の内容に応じた色または明度で表示されるように、地図表示部を制御するので、各照明負荷のマークの色や明度を確認することで、各照明負荷の動作状態を容易に把握することができる。
【発明を実施するための最良の形態】
【００２９】
以下、本発明を実施するための最良の形態について、図面を参照しながら説明する。
【００３０】
本実施形態の調光操作卓１の基本構成は、図５及び図６で説明した調光操作卓１と共通であるので、共通する部分については同じ符号を付して図示や説明を省略する。
【００３１】
本実施形態は、図１に示すように、各調光器２がそれぞれ有していて予め回路番号が割り当てられ照明負荷が接続される制御コンセント（図示せず）の配置を示す配置データが入力されるデータ入力部１５を有する。また、表示部１４は、データ入力部１５に入力された配置データに基いて、制御コンセントを示すマークが制御コンセントの位置に描かれた地図を地図表示部としてのディスプレイ１４ａに表示する。
【００３２】
データ入力部１５としては、配置データが格納された不揮発性メモリや磁気ディスクといった周知の記憶媒体から配置データを読み取る周知の装置を用いることができる。
【００３３】
配置データは、調光操作卓１によって制御されるべき各照明負荷Ｌがそれぞれ配置される空間の地図（例えば、部屋の見取り図）を示す地図データ（例えばｄｘｆ形式）と、前記地図に描かれた範囲に設けられた各制御コンセントについてそれぞれ回路番号と前記地図の中での位置とを示す回路番号データとの組からなる。地図データには、制御コンセントを保持し照明負荷Ｌが取り付けられるバトンＢＴ等の装置も示される。表示部１４は、地図データに示された地図を表示するとともに、その地図上において、回路番号データに示された各制御コンセントのマークを、それぞれ回路番号データに示された位置に表示する。
【００３４】
制御部１２は、データ入力部１５に配置データが入力されて表示部１４に地図が表示されている状態では、操作部１１への操作入力によって指定された照明負荷Ｌを示すマークを前記地図上において操作部１１への操作入力によって指定された位置に描くように表示部１４を制御するとともに上記の指定された位置に応じて該照明負荷のマークに回路番号を対応付ける照明負荷配置動作と、操作部１１のフェーダ等の操作手段と回路番号が対応付けられた照明負荷のマークとがそれぞれ操作部１１への操作入力によって指定され、指定された照明負荷のマークに対応付けられた回路番号を、指定された操作手段に対して対応付ける操作手段割当動作とを行う。そして、操作部１１は、照明負荷配置動作や操作手段割当動作における操作入力のために、表示部１４に表示された地図上の点の指定に用いられる位置指定手段（図示せず）を備える。位置指定手段には、例えばマウスやタッチパネルやキーボードといった周知の入力装置を使用することができる。
【００３５】
以下、上記の各動作について詳しく説明する。
【００３６】
照明負荷配置動作では、使用者は、操作部１１への操作入力により、配置する照明負荷のマークを、予め制御部１２のメモリに記憶された複数種類のマークの中から、実際に配置される照明負荷Ｌの種類に応じて指定し、さらに、地図上において該マークが配置されるべき位置と、該マークの向きとをそれぞれ指定する。以上により、表示部１４に表示された地図上において、指定された照明負荷のマークであって指定された向きのマーク（すなわち、指定された形状のマーク）が、指定された位置に配置される。
【００３７】
ここで、図２に示すように、各制御コンセントのマーク（図２では黒丸）Ｃ１，Ｃ２には、それぞれ割当領域Ｚ１が設定されている。図２には、上記のマークＣ１，Ｃ２で表現された各制御コンセントがそれぞれ設けられたバトンＢＴを示すマーク（黒線）ＢＴ１も描かれている。また、図２において、割当領域Ｚ１は、対応する制御コンセントのマークＣ１を中心とする正方形状の範囲とされている。図２には、左側の制御コンセントのマークＣ１に設定された割当領域Ｚ１だけが描かれているが、右側の制御コンセントのマークＣ２についても割当領域を同様の形状とすることができる。
【００３８】
そして、いずれかの制御コンセントのマークの割当領域内に照明負荷のマークが配置されると、その照明負荷のマークは、その制御コンセントのマークに対して回路番号データで対応付けられた回路番号（つまり、その制御コンセントのマークが示す制御コンセントに接続された照明負荷Ｌに割り当てられる回路番号）に対応付けられる。例えば、回路番号データにおいて図２の左側の制御コンセントのマークＣ１に対し回路番号１が対応付けられていた場合、この制御コンセントのマークＣ１に設定された割当領域Ｚ１内に配置された照明負荷のマークには、上記の回路番号１が対応付けられる。
【００３９】
また、制御部１２は、操作部１１への操作入力によって制御コンセントのマークと新たな割当領域とを指定されることにより、指定された制御コンセントのマークの割当領域を上記新たな割当領域に変更する。新たな割当領域の指定は、例えば、新たな割当領域の左上隅となるべき点と、新たな割当領域の右下隅となるべき点とをそれぞれ指定することにより行われ、指定された２点を結ぶ線を対角線とし各辺がそれぞれ地図のｘ軸とｙ軸との一方ずつに平行な長方形に囲まれる範囲が新たな割当領域とされる。
【００４０】
また、複数個の制御コンセントのマークに対して１個の割当領域が設定されてもよい。この場合、割当領域内に配置された照明負荷のマークが対応付けられる回路番号は、例えば、該割当領域に対応する制御コンセントのマークに対応付けられた回路番号のうちから、割当領域内に照明負荷のマークが配置される度にサイクリックに切り換えられるようにする。つまり、割当領域に対応するｎ個（ｎ≧２）の制御コンセントのマークに対応付けられた回路番号が１，２，…，ｎである場合、その割当領域内に１個目の照明負荷のマークが配置されれば該照明負荷のマークには回路番号１が対応付けられ、２個目の照明負荷のマークが配置されれば該照明負荷のマークには回路番号２が対応付けられ、ｎ個目の照明負荷のマークが配置されれば該照明負荷のマークには回路番号ｎが対応付けられるといったように、対応付けられる回路番号が順に切り換えられるようにする。
【００４１】
さらに、表示部１４は、図３に示すように、各照明負荷のマークＬ１の近傍（図３では右下）に、上記のようにして対応付けられた回路番号（図３では３）を表示する。
【００４２】
そして、上記のようにして回路番号が対応付けられた照明負荷のマークと、該照明負荷のマークによって表現された照明負荷Ｌに行なわせるべき制御の内容とが、それぞれ操作部１１への操作入力によって指定されると、制御部１２は、指定された照明負荷のマークに対応付けられた回路番号の照明負荷Ｌに対して指定された内容の制御を行わせる制御信号を生成するとともに、通信部１３を制御して該制御信号を調光器２へ送信させる。指定される制御の内容は具体的には照明負荷Ｌのオンオフの切換及び光出力の指定である。すなわち、使用者は、後述する操作手段割当動作によって回路番号を操作手段に対応付けなくとも、表示部１４に表示された地図上の照明負荷のマークを参照しながら、直感的に照明負荷Ｌの制御の操作を行うことができる。さらに、各照明負荷のマークは、対応付けられた回路番号に対して直前に送信された制御信号に示された制御の内容における光出力（すなわち、照明負荷のマークが示す照明負荷Ｌの、現在の光出力）に応じた色で表示される。具体的には例えば、図４（ａ）〜（ｃ）に示すように、各照明負荷のマークＬ１の色の明度を、それぞれ、その照明負荷のマークＬ１に対応付けられた回路番号に対して直前に送信された制御信号に示された制御の内容における光出力が高いほど高く（すなわち上記の色を白に近く）、逆に上記の光出力が低いほど低く（すなわち上記の色を黒に近く）する。照明負荷のマークＬ１の色の明度が最も高くされた図４（ｃ）の例は上記の光出力が定格点灯時の値であることを示し、照明負荷のマークＬ１の色の明度が最も低くされた図４（ａ）の例は上記の光出力が定格点灯時の４２％であることを示し、照明負荷のマークＬ１の色の明度が上記の中間程度とされた図４（ｂ）の例は上記の光出力が定格点灯時の９０％であることを示す。さらに、照明負荷のマークＬ１に対応付けられた回路番号に対して直前に送信された制御信号が照明負荷Ｌの消灯を指示するものであった場合、すなわち照明負荷のマークＬ１によって表現された照明負荷Ｌが消灯状態である場合には、その照明負荷のマークＬ１の色を図４（ａ）の例よりもさらに明度の低い色（例えば黒色）とする。なお、上記のように各照明負荷のマークＬ１の色の明度を変化させる代わりに、又は明度の変化に加えて、彩度と色相との一方又は両方を変化させることで、各照明負荷Ｌの光出力を表現してもよい。
【００４３】
次に、操作手段割当動作について説明する。操作手段割当動作は、具体的には、従来技術の項で説明した個別制御やグループ制御に用いられるフェーダ等の操作手段に対する回路番号の対応付けや、従来技術の項で説明したパターントリガを構成するボタン等の操作手段に対するパターン制御の内容の設定などである。照明器具配置動作と操作手段割当動作とは、並行して行われるようにしてもよいし、操作部１１への操作入力に応じて切り替えられた一方ずつが行われるようにしてもよい。
【００４４】
操作手段に対する回路番号の対応付けは、１個の操作手段と、回路番号が対応付けられた照明負荷のマークのうち少なくとも１個とを、それぞれ操作部１１への操作入力によって指定することにより行われる。すなわち、基本的には、指定された１個の操作手段に対し、指定された各照明負荷のマークに対応付けられた各回路番号がそれぞれ対応付けられる。操作部１１が有する各操作手段には、それぞれ固有の番号（以下、「操作番号」と呼ぶ。）が予め付されており、回路番号と操作手段との対応付けは、すなわち回路番号と操作番号との対応付けとなっている。操作番号は、連続する操作番号を付された操作手段同士が互いに隣接するように付されている。例えば、左右に並んだ操作手段としてのフェーダには左端のフェーダから順に１，２，３…と操作番号が付されるといったように、連なって配置された操作手段には連続した操作番号が付されている。
【００４５】
ここで、制御部１２は、操作部１１に受け付けられた操作入力に応じて、照明負荷のマークに対してグループを示すグループ番号を関連付けることにより照明負荷のマークをグループ分けする。このグループは、例えば、背景壁面（ホリゾント）の照明用や、セットに対する照明用や、人物に対する照明用といった、目的毎に分けることができる。表示部１５は、照明負荷のマークがグループに属する場合、照明負荷のマークが属するグループを示す表示（図３における「キーライト」）を、該照明負荷のマークの近傍（図３の例では上側）に表示する。グループを示す表示としては、上記の「キーライト」のようにグループ毎にそれぞれ設定された名称のほか、グループ番号や、グループ毎に割り当てられた符号（Ａ，Ｂ，Ｃやイ，ロ，ハなど）を用いることができる。
【００４６】
そして、操作手段割当動作においては、制御部１２は、いずれかのグループに属する（つまり既にグループ番号が関連付けられた）照明負荷のマークと操作手段とがそれぞれ指定された場合、指定された操作手段に付された操作番号を始めとして、指定された照明負荷のマークと同じグループ（以下、「指定グループ」と呼ぶ。）に属する照明負荷のマーク（指定された照明負荷のマークを含む）に対応付けられた回路番号の総数と同数の一連の操作番号を、指定グループに属する照明負荷のマークに対応付けられた各回路番号に対して一対一に対応付ける。この対応付けの一例を次表に示す。
【００４７】
【表１】
2010073629.tif 000003
【００４８】
上表の例では、各照明負荷のマークにはそれぞれ配置された際に固有の番号である負荷マーク番号（例えば通し番号）が付されており、回路番号に対する操作手段（操作番号）の対応付けとしては、対応付けられた照明負荷のマークのうち負荷マーク番号が最も小さいものの負荷マーク番号が小さい回路番号ほど小さい操作番号が対応付けられている。例えば、指定グループのグループ番号が１であって指定された操作番号が１の場合、グループ番号１には照明負荷のマークが２個（負荷マーク番号１，３）対応付けられておりグループ番号１に対応する回路番号の総数は２であることから、上記一連の操作番号としては１，２の２個が用いられ、そのうち最も小さい操作番号１は、負荷マーク番号が最も小さい１である照明負荷のマークが対応付けられた回路番号ＢＴ１−３に対応付けられ、次に小さい操作番号２は、負荷マーク番号が次に小さい３である照明負荷のマークが対応付けられた回路番号ＢＴ２−１に対応付けられる。
【００４９】
上記のようにグループを用いた対応付けによれば、指定グループに属する（つまり指定グループのグループ番号に関連付けられた）照明負荷のマークに対応付けられた各回路番号に対する操作手段（操作番号）の対応付けが一括して行われる。
【００５０】
また、パターン制御の内容の設定は、パターントリガとされる操作手段と、パターン制御の対象となる回路番号と、回路番号毎の光出力とが、それぞれ操作部１１への操作入力によって指定されることで行われる。パターン制御の対象となる回路番号の指定は、例えば、回路番号が対応付けられた照明負荷のマークの指定によって行なわれる。回路番号毎の光出力の指定は、例えば、パターン制御の対象となる回路番号のいずれかが既に対応付けられたフェーダ等の操作手段への操作入力によって行われてもよいし、パターン制御の対象となる回路番号のいずれかが対応付けられた照明負荷のマークと該照明負荷のマークに対応する回路番号に対して指示されるべき光出力とがそれぞれ操作部１１への操作入力によって指定されることによって行われてもよい。また、パターン制御の内容の設定中には、該パターン制御の対象となる回路番号に対応する各照明負荷のマークの色は、それぞれ、該パターン制御において設定されている光出力に応じた色（例えば、光出力が高いほど明度が高い色）とされる。
【００５１】
上記のような操作手段割当動作によって操作部１１の操作手段に対応付けられた回路番号は、その操作手段が照明負荷Ｌの制御のために操作されたときに制御部１２によって生成される制御信号において制御の対象として示される回路番号となる。すなわち、操作手段割当動作が行われた後は、操作部１１の操作手段を操作することで、その操作手段に対応付けられた回路番号の照明負荷Ｌの制御（個別制御、グループ制御、パターン制御など）を行わせることができる。
【００５２】
上記構成によれば、照明負荷配置動作により、地図上の照明負荷のマークの位置によって照明負荷Ｌの配置が表現されるとともに照明負荷のマークの形状によって照明負荷Ｌの種別及び向きが表現された仕込み図の作成を行うことができ、また、操作手段割当動作により、回路番号を操作部１１の操作手段に対応付ける仕込み作業を行うことができる。
【００５３】
また、地図上に表示された照明負荷のマークを指定することで、フェーダ等の操作手段に対する回路番号の対応付けやパターン制御の内容の設定といった仕込み作業を、直感的に容易に行うことができる。
【００５４】
さらに、配置データに示された地図に、照明負荷配置動作において配置された照明負荷のマークや該照明負荷のマークに対応した回路番号やグループの表示が追加された画像（すなわち仕込み図）のデータは、周知のプリンタや記憶媒体に対して出力可能とすることが望ましい。
【図面の簡単な説明】
【００５５】
【図１】本発明の実施形態を示すブロック図である。
【図２】同上における割当領域の例を示す説明図である。
【図３】同上において照明負荷のマークに対応付けられた回路番号の表示の例を示す説明図である。
【図４】（ａ）〜（ｃ）はそれぞれ照明負荷のマークの例を示し、（ａ）〜（ｃ）はそれぞれ照明負荷の光出力と向きとが異なる例を示す。
【図５】調光操作卓の使用形態の一例を示す説明図である。
【図６】従来例を示すブロック図である。
【図７】仕込み図の一例を示す説明図である。
【符号の説明】
【００５６】
１  調光操作卓
２  調光器
１１  操作部
１２  制御部
１３  通信部
１４  表示部
１４ａ  ディスプレイ（請求項における地図表示部）
１５  データ入力部
Ｌ  照明負荷
Ｌ１  照明負荷のマーク
Ｃ１，Ｃ２  制御コンセントのマーク
Ｚ１  割当領域
【図１】
2010073629.tif 000004
【図２】
2010073629.tif 000005
【図３】
2010073629.tif 000006
【図４】
2010073629.tif 000007
【図５】
2010073629.tif 000008
【図６】
2010073629.tif 000009
【図７】
2010073629.tif 000010